(57)【要約】【課題】温度や湿度等の環境の変化によって、膨張したり収縮したりした場合にも、変形量を吸収でき、歪んだり割れたりせずに位置を保持できる位置決め部を有した光学シート、及び、これを備えた面光源装置、スクリーン、表示装置を提供する。【解決手段】光学シート１４の少なくとも対向する２つの外形辺に、外形辺からシートの内側へ向かって凹んだ凹形状の位置決め部１４２を形成した。位置決め部１４２は、対向する２つの辺が平行であり、凹形状の底となる部分は、円形の一部となるように形成する。【選択図】図２
2008129259.tif 000002
【特許請求の範囲】
【請求項１】
光透過性を有するシート状の部材であって、
シート面の法線方向から見た外形形状を形成する外形辺から、シートの内側に向かって凹んだ凹形状である位置決め部を備える光学シート。
【請求項２】
請求項１に記載の光学シートにおいて、
前記位置決め部は、互いに平行な２つの辺を有すること、
を特徴とする光学シート。
【請求項３】
請求項２に記載の光学シートにおいて、
少なくとも１つの前記位置決め部は、前記２つの辺の間の幅が他の前記位置決め部とは異なること、
を特徴とする光学シート。
【請求項４】
請求項１から請求項３までのいずれか１項に記載の光学シートにおいて、
シート面に対する法線方向から見た形状が略矩形であって、
前記位置決め部は、少なくとも対向する２つの前記外形辺に１つずつ設けられていること、
を特徴とする光学シート。
【請求項５】
請求項４に記載の光学シートにおいて、
少なくとも１つの前記位置決め部は、前記位置決め部が設けられている前記外形辺の中央から離れた位置に設けられていること、
を特徴とする光学シート。
【請求項６】
請求項１から請求項５までのいずれか１項に記載の光学シートにおいて、
少なくとも一方の面に、レンズ形状又はプリズム形状を有すること、
を特徴とする光学シート。
【請求項７】
請求項１から請求項６までのいずれか１項に記載の光学シートと、
前記光学シートよりも背面側に設けられた光源部と、
を備える面光源装置。
【請求項８】
請求項７に記載の面光源装置を備える表示装置。
【請求項９】
請求項１から請求項６までのいずれか１項に記載の光学シートを備えたスクリーン。
【請求項１０】
請求項９に記載のスクリーンと、
映像光を投射する映像源と、
を備える表示装置。
【発明の詳細な説明】
【技術分野】
【０００１】
本発明は、光透過性を有するシート状の部材である光学シート、及び、これを備えた面光源装置、スクリーン、表示装置に関するものである。
【背景技術】
【０００２】
従来、面光源装置やスクリーン等に用いられる拡散板やレンズシート等の光学シートは、例えば、シートの端部に円形又は長円形等の孔を設け、その孔と枠部材等に設けられた軸等を係合させること等によって、その位置が決められ、固定されている（例えば、特許文献１，特許文献２参照）。
【０００３】
しかし、特許文献１，特許文献２に記載される手法によって、光学シートを面光源装置の枠部材等に位置決めして固定すると、温度や湿度等、環境の変化によって光学シートが膨張したり収縮したりした場合に、光学シートの孔と枠部材の軸とによってその変形が規制され、変形量が吸収できないため、光学シートが歪んで、表示される映像に顕著なムラが生じたり、光学シートが破損したりするという問題があった。
【特許文献１】特開２００１−９１９４７号公報
【特許文献２】特開２００２−１９６３１２号公報
【発明の開示】
【発明が解決しようとする課題】
【０００４】
本発明の課題は、温度や湿度等の環境の変化によって、膨張したり収縮したりした場合にも、変形量を吸収でき、歪んだり割れたりせずに位置を保持できる光学シート、及び、これを備えた面光源装置、スクリーン、表示装置を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、光透過性を有するシート状の部材であって、シート面の法線方向から見た外形形状を形成する外形辺から、シートの内側に向かって凹んだ凹形状である位置決め部（１４２，２４２，３４２）を備える光学シート（１４，２４，３４）である。
請求項２の発明は、請求項１に記載の光学シートにおいて、前記位置決め部（１４２，２４２，３４２）は、互いに平行な２つの辺を有すること、を特徴とする光学シート（１４，２４，３４）である。
請求項３の発明は、請求項２に記載の光学シートにおいて、少なくとも１つの前記位置決め部（２４２ｇ）は、前記２つの辺の間の幅が他の前記位置決め部（２４２ｆ）とは異なること、を特徴とする光学シート（２４）である。
請求項４の発明は、請求項１から請求項３までのいずれか１項に記載の光学シートにおいて、シート面に対する法線方向から見た形状が略矩形であって、前記位置決め部（１４２，２４２，３４２）は、少なくとも対向する２つの前記外形辺に１つずつ設けられていること、を特徴とする光学シート（１４，２４，３４）である。
請求項５の発明は、請求項４に記載の光学シートにおいて、少なくとも１つの前記位置決め部（１４２ａ，２４２ｆ，２４２ｇ，３４２ａ）は、前記位置決め部が設けられている前記外形辺の中央から離れた位置に設けられていること、を特徴とする光学シート（１４，２４，３４）である。
請求項６の発明は、請求項１から請求項５までのいずれか１項に記載の光学シートにおいて、少なくとも一方の面に、レンズ形状又はプリズム形状（１４１）を有すること、を特徴とする光学シート（１４，２４，３４）である。
請求項７の発明は、請求項１から請求項６までのいずれか１項に記載の光学シート（１４，２４，３４）と、前記光学シートよりも背面側に設けられた光源部（１３）と、を備える面光源装置（１０）である。
請求項８の発明は、請求項７に記載の面光源装置（１０）を備える表示装置（１）である。
請求項９の発明は、請求項１から請求項６までのいずれか１項に記載の光学シートを備えたスクリーンである。
請求項１０の発明は、請求項９に記載のスクリーンと、映像光を投射する映像源と、を備える表示装置である。
【発明の効果】
【０００６】
本発明によれば、以下の効果を奏することができる。
（１）光学シートは、シート面の法線方向から見た外形形状を形成する外形辺から、シートの内側に向かって凹んだ凹形状である位置決め部を備えるので、温度や湿度等の環境の変化によって光学シートが膨張、収縮等した場合にも、その変形量を吸収して、光学シートの位置を保持できる。
また、位置決め部は、端部からシートの内側へ向かって凹んだ凹形状であるので、円形状や楕円形状等の貫通孔の位置決め部を形成する場合に比べて、形成が容易である。
【０００７】
（２）位置決め部は、互いに平行な２つの辺を有するので、光学シートを保持する枠部材等に設けられた軸や爪部等の移動を滑らかに行うことができる。
【０００８】
（３）少なくとも１つの位置決め部は、２つの辺の間の幅が他の位置決め部とは異なるので、印等を設けなくとも、幅の異なる位置決め部の位置により、光学シートの表裏や上下左右等の誤認を防ぐことができる。
【０００９】
（４）光学シートは、シート面に対する法線方向から見た形状が略矩形であって、位置決め部は、少なくとも対向する２つの前記外形辺に１つずつ設けられているので、光学シートを確実に保持できる。
【００１０】
（５）少なくとも１つの前記位置決め部は、その位置決め部が設けられている前記外形辺の中央から離れた位置に設けられているので、印等を設けなくとも、幅の異なる位置決め部の位置により、光学シートの表裏や上下左右等の誤認を防ぐことができる。
【００１１】
（６）光学シートは、少なくとも一方の面に、レンズ形状又はプリズム形状を有するので、集光、拡散効果の高い光学シートとすることができる。
【００１２】
（７）面光源装置は、本発明による光学シートと、光学シートよりも背面側に設けられた光源部とを備えるので、組立てが容易であり、かつ、耐環境性を向上できる。また、光学シートの耐環境性の向上により、歪み等が発生しにくいので、輝度ムラ等も防止できる。
【００１３】
（８）表示装置は、本発明による面光源装置を備えるので、耐環境性がよく、温度や湿度の変化によって光学シートの大きさが変化した場合にも、ムラ等の生じない、良好な映像を表示できる。
【００１４】
（９）スクリーンは、本発明による光学シートを備えるので、耐環境性がよく、温度や湿度の変化によって光学シートの大きさが変化した場合にも、ムラ等の生じない、良好な映像を表示できる。
【００１５】
（１０）表示装置は、本発明によるスクリーンと、映像光を投射する映像源とを備えるので、耐環境性がよく、温度や湿度の変化によって光学シートの大きさが変化した場合にも、ムラ等の生じない、良好な映像を表示できる。
【発明を実施するための最良の形態】
【００１６】
本発明は、温度や湿度等の環境の変化によって膨張、収縮した場合にも、変形量を吸収でき、歪んだり割れたりせずに位置を保持できる光学シート、及び、これを備えた面光源装置、スクリーン、表示装置を提供するという目的を、光学シートの少なくとも対向する２つの外形辺に、内側に凹んだ形状である位置決め部を形成することにより実現した。
【実施例１】
【００１７】
図１は、本発明による実施例１の光学シート１４を備えた面光源装置１０及び表示装置１を示す図である。
なお、図１を含め、以下に示す各図は、模式的に示した図であり、各部の大きさ、形状は、理解を容易にするために、適宜誇張して示している。
本実施例における表示装置１は、ＬＣＤ（Liquid Crystal Display）パネル１１，反射板１２，発光管１３，光学シート１４を備え、ＬＣＤパネル１１に形成される映像情報を背面から照明して表示する透過型表示装置である。なお、面光源装置１０としては、反射板１２，発光管１３，光学シート１４が該当しており、この面光源装置１０は、ＬＣＤパネルを背面から照明するバックライト装置として用いられている。
【００１８】
ＬＣＤパネル１１は、透過型の液晶表示素子により形成された透過型表示部である。ＬＣＤパネル１１は、発光管１３の長手方向に沿った方向が、水平方向として使用され、発光管１３が並ぶ方向が、垂直方向として使用される。本実施例では、ＬＣＤパネル１１は、対角３２インチサイズ（縦４２０ｍｍ×横７４０ｍｍ）であり、７６８×１２８０ドットの表示が可能である。
発光管１３は、面光源装置１０（バックライト装置）の光源部を形成する線光源の冷陰極管であり、本実施例では、略２０ｍｍ間隔で等間隔に１８本が並列に並べられている。発光管１３の背面には、反射板１２が設けられている。
反射板１２は、発光管１３の光学シート１４とは反対側（背面側）の全面にわたって設けられており、背面側へ進む照明光を拡散反射して光学シート１４方向（出射方向）へ向かわせ、入射光照度を均一に近付ける働きを有する。
【００１９】
光学シート１４は、光透過性を有するシート状の部材であり、その片面には全面に、単位レンズ１４１が形成されたレンズシートであり、後述の位置決め部１４２によって、不図示の枠部材に形成された軸状の保持部Ｐに保持されている。本実施例の光学シート１４は、発光管１３から出射した光の輝度ムラを低減させて均一化するとともに、必要な出射角度範囲内に出射光を集光する機能を有する。
【００２０】
なお、光学シート１４は、シート状の部材であるとしたが、板、シート、フィルム等の言葉は、一般的な使い方として、厚さが厚い物から順に、板、シート、フィルムとされており、本明細書でもそれに倣って使用しているが、この使い分けには、技術的な意味が無いので、特許請求の範囲の記載は、シートという記載で統一して使用した。従って、シート、板、フィルムの文言は適宜置き換えることができるものとする。例えば、光学シートは、光学板としてもよいし、光学フィルムとしてもよい。
【００２１】
単位レンズ１４１は、その断面形状が略直角二等辺三角形であり、出射側に光を収束して出射する機能を有し、光学シート１４の出射側表面に多数並べて配置されている。単位レンズ１４１の並ぶ方向は、発光管１３の並ぶ方向（水平方向）と一致している（図１参照）。
本実施例では、光学シート１４は、耐衝撃性を有するアクリル樹脂を用いて形成され、その厚さ（光学シート１４の入射面から単位レンズ１４１の頂点までの高さ）は０．５ｍｍであり、単位レンズ１４１の並ぶピッチは、０．１５ｍｍである。
【００２２】
図２は、実施例１の光学シート１４をシート面の法線方向から見た図である。図２は、光学シート１４の出射側から見た図であり、不図示の枠部材に形成された保持部Ｐに保持された状態を示している。なお、理解を容易にするため、単位レンズ１４１は省略して示している。また、シート面とは、シート全体として見たときにおけるシートの平面方向となる面を示すものであり、以下の説明中、及び、特許請求の範囲においても同一の定義として用いている。
この光学シート１４は、シート面の法線方向から見た形状は略矩形であり、シート面の法線方向から見た外形形状を形成する各外形辺（矩形の各辺）には、それぞれ位置決め部１４２（１４２ａ，１４２ｂ，１４２ｃ，１４２ｄ）が形成されている。なお、説明のため、各外形辺に設けられた位置決め部１４２を、位置決め部１４２ａ，１４２ｂ，１４２ｃ，１４２ｄとし、それぞれ、光学シート１４の使用状態において、光学シート１４を出射側のシート面の法線方向からみて上辺，左辺，下辺，右辺にそれぞれ設けられているものとする。
位置決め部１４２は、保持部Ｐと係合することにより、光学シート１４を枠部材に取り付け可能とし、シート面内方向の位置を決める機能を有する部分である。位置決め部１４２は、光学シート１４の外形辺に形成され、外形辺からシートの内側へ向かって凹んだ形状となっている。位置決め部１４２の形状の詳細については、後述する。
【００２３】
枠部材は、例えば、ＬＣＤパネル１１と光学シート１４の周囲等に設けられた枠状の部材であり、光学シート１４のシート面内方向の位置、及び、光の進行方向の位置を規制するための部材である。枠部材は、ＬＣＤパネル１１及び光学シート１４の外形辺に沿うような形状であり、ＬＣＤパネル１１で映像を表示する領域への光を遮らないように設けられている。
保持部Ｐは、枠部材に設けられており、位置決め部１４２に対応する位置に配置された凸状の部分である。保持部Ｐは、位置決め部１４２と係合することによって、光学シート１４の位置を決め、かつその位置で光学シート１４を保持する機能を有する。本実施例では、保持部Ｐは、シート面に平行な断面の形状が略円形状である略円柱状の部材である。
【００２４】
図３は、位置決め部１４２ｂ付近の拡大図である。なお、図３では、シート面の法線方向から見た位置決め部１４２を拡大して示しており、図２と同様に、単位レンズ１４１は省略して示してある。ここでは、位置決め部１４２ｂを例に挙げて説明するが、形状に関しては、他の位置決め部１４２ａ，１４２ｃ，１４２ｄも同様である。
本実施例の位置決め部１４２ｂは、保持部Ｐを挟んで対向する２つの辺が平行な直線であり、２つの辺の間の幅Ｗは、保持部Ｐの径よりも多少大きい。位置決め部１４２ｂの凹形状の底となる部分は、幅Ｗを径とする円形の一部から形成されている。また、位置決め部１４２ｂが形成されている外形辺から位置決め部１４２ｂの凹形状の底までの寸法Ｌは、保持部Ｐの径よりも大きい。本実施例では、幅Ｗ＝５ｍｍ、寸法Ｌ＝２０ｍｍ、凹形状の底となる部分の半径２．５ｍｍであり、保持部Ｐの径は、４．５ｍｍである。
従って、保持部Ｐと各位置決め部１４２は、自由度を有して係合しており、光学シート１４は、枠部材に対して所定の自由度を有しながら、枠部材にシート面方向の位置を決められ、保持されている。
【００２５】
上述のような位置決め部１４２が、図２に示すように、光学シート１４の各外形辺にそれぞれ形成されている。本実施例では、位置決め部１４２ｂ，１４２ｃ，１４２ｄは、各位置決め部が設けられている各外形辺の中央に形成されている。しかし、位置決め部１４２ａは、位置決め部１４２ａが形成されている外形辺の中央から水平方向にずれた位置に形成されている。本実施例では、図２に示すように、位置決め部１４２ａは、外形辺の中央から１０ｍｍ右にずれた位置に形成されている。
このように形成することによって、光学シート１４の表裏、上下左右方向を示すことができ、光学シート１４を正しく取り付けることができる。
【００２６】
ここで、位置決め部が、従来の円形状の貫通孔であった場合を考える。そのような形状の位置決め部であった場合、温度や湿度等の変化によって、光学シートが膨張や収縮等してその大きさが変化しようとすると、保持部Ｐと位置決め部によって、光学シートの外形辺の位置が規制されているため、光学シートが歪んで映像にムラが生じたり、光学シートに大きな負荷がかかって割れたりする場合があった。
また、位置決め部が長円形状や楕円形状の貫通孔であった場合には、円形であった場合よりも、上述のような光学シートの大きさの変化には対応できるが、貫通孔の寸法によって変化が規制され、歪み等が生じる場合があった。
【００２７】
しかし、本実施例の位置決め部１４２では、光学シート１４が、温度や湿度等の環境の変化によって縮んだり膨張したりした場合にも、光学シート１４の変形に位置決め部１４２及が対応でき、光学シートの割れや歪みを防止できる。
また、本実施例の位置決め部１４２は、貫通孔ではなく、外形辺からシートの内側に向かって凹んだ凹形状であるので、従来のような貫通孔に比べて加工が容易であり、また、複数枚重ねた光学シートに同時に位置決め部を形成できるので、生産性も向上できる。
【００２８】
なお、本実施例では、位置決め部１４２は、光学シート１４の各外形辺に１つずつ、合計４つ設けられる例を示したが、これに限らず、少なくとも対向する２つの外形辺に１つずつ設けられているならば、位置決め部の数は、３つや５つでもよいし、特に限定しない。
図４は、実施例１の光学シートの変形例を示す図である。図４（ａ）は、位置決め部が３つの場合の光学シート１４−２の一例を示し、図４（ｂ）は、位置決め部が２つの場合の光学シート１４−３の一例を示している。
変形例の光学シート１４−２は、実施例１の光学シート１４と略同様の形状であるが、１つの外形辺に位置決め部が形成されていない。変形例の光学シート１４−３は、実施例１の光学シート１４と略同様の形状であるが、２つの外形辺には、位置決め部が形成されていない。
【００２９】
図４に示すように、位置決め部が３つ、２つ等の場合においても、いずれか１つの位置決め部（図４（ａ）では、位置決め部１４２ａ、図４（ｂ）では、位置決め部１４２ｅ）の位置を、外形辺の中央から外形辺に沿って離れた位置に形成することによって、光学シートの表裏の誤認を防止できる。また、そのいずれか１つの位置決め部の、外形辺から凹形状の底となる部分までの寸法Ｌや対向する２つの辺の間の幅Ｗを、他の位置決め部と異ならせてもよい。
なお、図４（ｂ）に示すように、位置決め部が２つの場合には、位置決め部１４２ｂ，１４２ｅは光学シート１４−３の対向する２つの外形辺にそれぞれ１つずつ形成することが、光学シートを枠部材によって位置決めし、その位置を保持する上で好ましい。
【実施例２】
【００３０】
実施例２の光学シート２４は、実施例１に示した光学シート１４と略同様の形態であるが、位置決め部の形状が全て同一ではない点が、実施例１とは異なる。よって、前述した実施例１と同様の機能を果たす部分には、同一の符号又は末尾に同一の符号を付して、重複する説明を適宜省略する。
図５は、実施例２の光学シート２４を出射側のシート面の法線方向から見た図である。図５では、図２と同様に、単位レンズは省略して示している。
実施例２の光学シート２４は、対向する２つの外形辺に、それぞれ１つずつ位置決め部２４２（２４２ｆ，２４２ｇ）が形成されている。本実施例では、位置決め部２４２ｆ，２４２ｇは、光学シート２４の使用状態において、シート面の法線方向から見て、左辺と右辺とに相当する外形辺に、各外形辺の中央から外形辺に沿って３０ｍｍ離れた位置（図５では、上辺側）に形成されている。
【００３１】
位置決め部２４２ｆは、実施例１に示した位置決め部１４２と略同様の形状である。この位置決め部２４２ｆは、実施例１と同様の保持部Ｐと係合している。
位置決め部２４２ｇは、位置決め部２４２ｆと同様の形状であるが、対向する２つの辺の間の幅Ｗ２、外形辺から凹形状の底となる部分までの寸法Ｌ２が、位置決め部２４２ｆよりも大きい。本実施例では、幅Ｗ２＝７ｍｍ、寸法Ｌ２＝２５ｍｍである。この位置決め部２４２ｇは、上述の保持部Ｐより径が大きく、幅Ｗ２より径が小さい保持部Ｐ２に係合している。この保持部Ｐ２は、保持部Ｐと略同様の部材であるが、その径が６．５ｍｍであり、保持部Ｐとは異なる。
本実施例のような位置決め部２４２ｆ，２４２ｇとすることにより、光学シートの表裏、上下左右を誤認することなく、少ない位置決め部で枠部材に保持させることができ、光学シートの位置を決めることができる。
【００３２】
なお、本実施例では、位置決め部２４２ｇの幅Ｗ２、寸法Ｌ２がともに他の位置決め部２４２ｆよりも大きい例を示したが、これに限らず、例えば、幅Ｗ２、寸法Ｌ２の双方が他の位置決め部よりも小さくてもよいし、幅Ｗ２、寸法Ｌ２のどちらか一方が他の位置決め部よりも大きい、又は、小さくてもよい。
また、本実施例では、位置決め部２４２が２つ設けられる例を示したが、位置決め部の数は３つ、４つ等でもよく、特に限定しない。
【実施例３】
【００３３】
図６は、実施例３の光学シート３４を出射側のシート面の法線方向から見た図である。
実施例３の光学シート３４は、実施例１に示した光学シート１４と略同様の形状であるが、各位置決め部が、各外形辺に形成されたシート凸部３４３（３４３ａ，３４３ｂ，３４３ｃ，３４３ｄ）に形成されている。シート凸部３４３は、光学シート３４の各外形辺に、光学シート３４から外側に突出して形成された部分であり、位置決め部３４２（３４２ａ，３４２ｂ，３４２ｃ，３４２ｄ）をそれぞれ有している。本実施例では、シート凸部３４３は、略矩形に形成され、その外形辺の中央に位置決め部３４２が形成されている。また、シート凸部３４３の大きさは、光学シートから突出した寸法Ｔ１＝２０ｍｍ、幅Ｔ２＝４０ｍｍである。
【００３４】
実施例３の光学シート３４では、シート凸部３４３ｂ，３４３ｃ，３４３ｄは、各外形辺の中央付近に形成されているが、シート凸部３４３ａは、外形辺の中央から外形辺に沿って離れた位置（図６では、中央より右側）に形成され、位置決め部３４２ａは、外形辺の中央から３０ｍｍ離れた位置に形成されている。
【００３５】
本実施例によれば、光学シート３４にシート凸部３４３を設け、シート凸部に位置決め部３４２を形成したので、光学シート３４の領域を有効に利用できる。
【００３６】
（変形例）
以上説明した実施例に限定されることなく、種々の変形や変更が可能であって、それらも本発明の均等の範囲内である。
（１）各実施例において、単位レンズは、その断面が略直角二等辺三角形である例を示したが、これに限らず、例えば、その断面が円形や楕円形の一部であってもよい。
また、各実施例において、単位レンズは、垂直方向に並べられる例を示したが、これに限らず、例えば、水平方向に並べてもよいし、２次元方向に配列された、いわゆるハエの目レンズ等でもよい。
【００３７】
（２）各実施例において、光学シートは、片面に単位レンズが多数並べて配置されたレンズシートである例を示したが、これに限らず、その両面にレンズ形状又はプリズム形状が形成されていてもよいし、レンズ形状を持たず、その内部に拡散材等を含有した無指向性の光拡散シート等でもよい。
【００３８】
（３）各実施例において、位置決め部の凹形状の底となる部分の形状が、位置決め部の対向する２つの辺の間の幅を径とする円形の一部である例を示したが、これに限らず、特にその形状は限定しない。
図７は、位置決め部の形状の変形例を示す図である。図７（ａ）は、光学シート４４に形成された位置決め部４４２の形状が略矩形である例を示し、図７（ｂ）は、光学シート５４に形成された位置決め部５４２の凹形状の底となる部分の形状が、略楕円形状の一部である例を示している。
位置決め部の凹形状の底となる部分の形状は、光学シートを保持する枠部材の保持部の形状等に合わせて、適宜自由に選択してよい。
【００３９】
（４）各実施例において、光学シートは、透過型表示装置に備えられる面光源装置に用いられる例を示したが、これに限らず、例えば、背面投射型表示装置等に用いられるスクリーン等に用いてもよい。
【００４０】
（５）各実施例において、面光源装置は、反射板，発光管，光学シートからなる例を示したが、これに限らず、例えば、無指向性の光拡散作用を有する乳白板等を発光管と光学シートとの間に設けて、発光管の配列間隔による輝度ムラを防止してもよいし、他のレンズシート等を光学シートと組み合わせて用いてもよい。この場合、乳白板や他のレンズシート等は、本発明の光学シートと同様の位置決め部を形成してもよい。
【図面の簡単な説明】
【００４１】
【図１】本発明による実施例１の光学シート１４を備えた面光源装置１０及び表示装置１を示す図である。
【図２】実施例１の光学シート１４をシート面の法線方向から見た図である。
【図３】位置決め部１４２ｂ付近の拡大図である。
【図４】実施例１の光学シートの変形例を示す図である。
【図５】実施例２の光学シート２４を出射側のシート面の法線方向から見た図である。
【図６】実施例３の光学シート３４を出射側のシート面の法線方向から見た図である。
【図７】位置決め部の形状の変形例を示す図である。
【符号の説明】
【００４２】
１    表示装置
１０    面光源装置
１１    ＬＣＤパネル
１２    反射板
１３    発光管
１４，２４，３４    光学シート
１４１    単位レンズ
１４２，２４２，３４２    位置決め部
【図１】
2008129259.tif 000003
【図２】
2008129259.tif 000004
【図３】
2008129259.tif 000005
【図４】
2008129259.tif 000006
【図５】
2008129259.tif 000007
【図６】
2008129259.tif 000008
【図７】
2008129259.tif 000009